(57)【要約】【目的】搬送ベルト式研磨揚送装置における搬送ベルトの装着状態に関する調整作業及び視認作業の利便性を向上させることができる遊技機島台を提供する【構成】調整手段をパチンコ島台の外側から開口部を通して操作可能に設け、且つミラー機構８２または撮影カメラとモニタによって映し出された搬送ベルト３４の装着状態を研磨揚送装置収納部７４外から視認できることにより、研磨揚送装置３０をパチンコ島台内に収納したままの状態で、搬送ベルト３４の視認作業が容易にでき、搬送ベルト３４の装着状態を視認しながら調整することが可能となるので、搬送ベルト３４の調整作業が容易にできる。このため、搬送ベルト３４の装着状態に関する調整作業及び視認作業の利便性を向上させることができる。【選択図】          図４
2004275311.tif 000002
【特許請求の範囲】
【請求項１】
無端状の搬送ベルトが複数の回転ローラに沿って周回することでパチンコ玉を所定の場所に揚送する揚送装置と、該揚送装置の所定の位置に設置され且つ前記搬送ベルトに張力を付与するテンションローラを少なくとも１つ含むテンションローラ機構と、所定の操作部を操作することにより前記搬送ベルトの装着状態を調整する調整手段と、前記揚送装置を収納する収納空間と、を備える遊技機島台において、
前記揚送装置を前記収納空間に収納した状態で、前記テンションローラ機構に係る前記搬送ベルトの装着状態の映像を映し出す写影手段を備えたこと、を特徴とする遊技機島台。
【請求項２】
前記収納空間の一部を開設した開口部と、を備え、
前記調整手段を、前記揚送装置に備えられた操作部を操作することにより前記搬送ベルトの装着状態を調整する第１調整手段とし、
前記揚送装置を前記収納空間に収納した状態において、前記写影手段によって映し出される映像を前記収納空間外で且つ前記開口部側から視認できるように映し出し、尚かつ、前記第１調整手段の操作部を前記収納空間外で且つ前記開口部側から操作可能に備えたこと、を特徴とする請求項１記載の遊技機島台。
【請求項３】
前記調整手段を、前記収納空間外に備えられた操作部を操作することにより前記搬送ベルトの装着作業を調整する第２調整手段とし、
前記揚送装置を前記収納空間に収納した状態において、前記写影手段によって映し出される映像を前記収納空間外で映し出し、尚かつ、前記第２調整手段の前記操作部を前記収納空間外で且つ前記写影手段によって映し出される映像の近傍に設けたこと、を特徴とする請求項１に記載の遊技機島台。
【請求項４】
前記写影手段は、少なくとも、前記テンションローラ機構に係る前記搬送ベルトの装着状態を映し出す鏡と、該鏡の取付け角度を自在に調整することが可能な角度調整機構と、で構成すること、を特徴とする請求項１乃至請求項３の何れかに記載の遊技機島台。
【請求項５】
前記写影手段は、少なくとも、前記テンションローラ機構に係る前記搬送ベルトの装着状態を撮影する撮影カメラと、該撮影カメラによって撮影された映像を映し出すモニタと、で構成すること、を特徴とする請求項１乃至請求項３の何れかに記載の遊技機島台。
【発明の詳細な説明】
【０００１】
【発明の属する技術分野】
無端状の搬送ベルトが複数の回転ローラに沿って周回することでパチンコ玉を上方に揚送する揚送装置と、該揚送装置の所定の位置に設置され且つ前記搬送ベルトに張力を付与するテンションローラを少なくとも１つ含むテンションローラ機構と、所定の操作部を操作することにより前記搬送ベルトの装着状態を調整する調整手段と、前記揚送装置を収納する収納空間と、を備える遊技機島台に関するものである。
【０００２】
【従来の技術】
従来より、パチンコ機が複数列設される遊技機島台において、その内部空間には、通常、パチンコ玉を研磨、揚送する研磨揚送装置が設けられている。近年、各メーカーから様々な研磨方式及び揚送方式の研磨揚送装置が発表されているが、使用済みのパチンコ玉に対して特筆すべき抜群の揚送力及び研磨力を有するという観点から、搬送ベルトによってパチンコ玉を研磨、揚送する所謂、搬送ベルト式研磨揚送装置（以下、単に、研磨揚送装置と示す）が、市場において最も根強い支持を得ている。なお、本出願でいう研磨揚送装置とは、玉研磨機能及び玉揚送機能の両方を含む揚送装置のことであり、本発明でいう揚送装置とは、少なくとも玉揚送機能を含む揚送装置という意味である。即ち、揚送装置という語句は、研磨揚送装置という語句の上位概念を意味するものである。
【０００３】
周知の研磨揚送装置は、通常、その機械要素として、少なくとも、複数のローラと、当該ローラに巻き掛けられる搬送ベルトと、スプリング等の付勢力により搬送ベルトに張力を付与するテンションローラを少なくとも１つ含むテンションローラ機構と、で構成されているが、該研磨揚送装置には、１つ不可避的な現象があった。
【０００４】
それは、所謂、「搬送ベルトの横ずれ」の現象のことであり、原因としては、スプリング等の研磨揚送装置を構成する機械要素個々の経時変化やテンションローラの表面に汚れが付着する等によるものとされ、該「搬送ベルトの横ずれ」の現象により、研磨揚送装置の稼動効率の低下のみならず、搬送ベルト自体の破損等に繋がる虞があった。
【０００５】
前述の「搬送ベルトの横ずれ」の問題に対する対策としては、例えば、テンションローラの表面に付着した汚れを削り落とす技術思想のものや、搬送ベルトの位置をセンサで検出し制御装置によって自動で適正な位置に調節する技術思想（特許文献１参照）のものが考えられるが、前者の場合、やはり、研磨揚送装置を構成する機械要素個々の経時変化には勝てず、完全なる問題解決には至ることができず、一方、後者の場合、センサ又は制御装置等の故障の可能性が機械である以上存在し、営業中に故障すると、重大な損害を被る虞がある研磨揚送装置に対しては、こうした技術思想の装置は、ホール側に不確かな安心感を与えるだけで、結果として、ホール側の信用が得られないという問題点があり、製品化が行い難いという現状が存在していた。このため、発明の利用を図り産業の発達を目的とした発明としては、実現性が乏しいという問題点が存在する。更に、後者の場合、「搬送ベルトの横ずれ」を修正するという点においては、有効であるが、それは、決して、「搬送ベルトの横ずれ」の原因を根本的に解消するためのものでないため、依然として、「搬送ベルトの横ずれ」は発生する虞がある状態のままとなる。つまり、抜本的な問題解決ではないのである。
【０００６】
そこで、次点の対策として考えられたのが、作業者による搬送ベルトの横ずれの早期発見及び該早期発見に伴う早期対策である。該対策を実行する上で、必要不可欠な作業として、作業者の視覚を通じて判断される搬送ベルトの装着状態の視認作業や調整作業がある。
【０００７】
これら作業（搬送ベルトの装着状態の視認作業や調整作業）は、遊技機島台内における研磨揚送装置の設置状態によって、作業の遂行性が多少違うが、基本的に、作業性が悪いという問題点があった。なお、搬送ベルトの横ずれの早期発見は、「搬送ベルトの横ずれ」の原因を早期に根本的に解消することが可能であり、かなり有効な手段とされている。
【０００８】
ここで、該問題点を詳述する。
なお、現在、遊技機島台内における研磨揚送装置の設置状態の仕様には、大きく区分けして、所謂「横置き型」（特許文献２参照）と所謂「縦置き型」（特許文献３参照）の２通りの仕様が存在しており、これら２通りの仕様は、当該研磨揚送装置を採用するパチンコ循環システムの違いによって、適宜、選択されている。そこで、下述の該問題点の詳述では、これら２つの仕様毎に述べることとする。
【０００９】
【特許文献１】
特開平９−２８９０９（第５−６頁、図６、図８）
【特許文献２】
特開２００２−１６６０２９（第３−５頁、図１）
【特許文献３】
特許２０００−２９６２５５（第２−３頁、図７）
【００１０】
【発明が解決しようとする課題】
先ず、「横置き型」の場合、遊技機島台を構成するカウンター等の構成部材が邪魔になり、研磨揚送装置の下方の状態、特に、テンションローラ機構の辺りの状態が視認し難いという問題点があった。
即ち、搬送ベルトが横ずれを起こしているか否かを判断する際に行われる搬送ベルトの回動状態の視認は、通常、テンションローラ機構のテンションローラと搬送ベルトとの接触状態を視認するのが、最も有効な手段とされているが、該手段の実行が、現状の「横置き型」の仕様の遊技機島台においては遂行し難い構成となっており、作業者が体を低く屈め、覗き込むような姿勢をとらないと、視認作業が行い難い構成となっていた。
【００１１】
更に、前述の問題点は、搬送ベルトの調整作業にも大きく影響を及ぼしていた。即ち、通常、搬送ベルトを調整する際、搬送ベルトを回動させた状態で、テンションローラ機構のテンションローラと搬送ベルトとの接触状態を視認しながら、搬送ベルトの横ずれを修正、調整する所定の調整手段を用いて行うが、現状の「横置き型」の仕様の遊技機島台では、前述のように、テンションローラ機構の辺りの状態が視認し難い問題点があり、これにより、搬送ベルトの調整作業も行い難いという因果関係は当然存在していた。
【００１２】
一方、「縦置き型」の場合、研磨揚送装置が、収納扉側に対して背向する状態で設置される為、ちょうど、収納扉側から見るとテンションローラ機構が研磨揚送装置の揚送筒本体に隠されている状態になり、研磨揚送装置の下方の状態の視認は著しく行えない状態となっていた。これでは、前述した「横置き型」の場合より、深刻で、搬送ベルトの回動状態の視認作業が、研磨揚送装置を取り出さないと行うことができないこととなり、大変、煩雑な作業となっていた。同様に、搬送ベルトの調整作業も、大変、煩雑な作業となっていた。
【００１３】
本発明は、上記した事情に鑑みなされたもので、その目的とするところは、搬送ベルト式の揚送装置における搬送ベルトの装着状態に関する調整作業、視認作業の利便性を向上させることができる遊技機島台を提供することにある。
【００１４】
【課題を解決するための手段】
上記した目的を達成するために、請求項１に記載の発明においては、無端状の搬送ベルトが複数の回転ローラに沿って周回することでパチンコ玉を所定の場所に揚送する揚送装置と、該揚送装置の所定の位置に設置され且つ前記搬送ベルトに張力を付与するテンションローラを少なくとも１つ含むテンションローラ機構と、所定の操作部を操作することにより前記搬送ベルトの装着状態を調整する調整手段と、前記揚送装置を収納する収納空間と、を備える遊技機島台において、前記揚送装置を前記収納空間に収納した状態で、前記テンションローラ機構に係る前記搬送ベルトの装着状態の映像を映し出す写影手段を備えたこと、を特徴とするものである。
このように構成することにより、揚送装置を遊技機島台内の収納空間に収納したままの状態でも、揚送装置の所定の位置（例えば、下方）に設置されたテンションローラ機構に係る搬送ベルトの装着状態を、写影手段によって映し出される映像を通して、作業者が容易に視認することができるようになる。即ち、搬送ベルトの装着状態の視認作業（搬送ベルトが横ずれを起こしているか否かの視認作業）を容易化すると共に、「搬送ベルトの横ずれ」の早期発見及び該早期発見に伴う早期対策を図ることができるという優れた効果を奏する。
【００１５】
また、請求項２に記載の発明においては、前記収納空間の一部を開設した開口部と、を備え、前記調整手段を、前記揚送装置に備えられた操作部を操作することにより前記搬送ベルトの装着状態を調整する第１調整手段とし、前記揚送装置を前記収納空間に収納した状態において、前記写影手段によって映し出される映像を前記収納空間外で且つ前記開口部側から視認できるように映し出し、尚かつ、前記第１調整手段の操作部を前記収納空間外で且つ前記開口部側から操作可能に備えたこと、を特徴とする。
このように構成することにより、揚送装置を遊技機島台内の収納空間に収納したままの状態でも、収納空間外で且つ開口部側から、写影手段によって映し出される映像を視認しながら搬送ベルトの装着状態を調整することができるので、搬送ベルトの調整作業が容易となると共に、精度の高い調整作業を行うことができるようになる。
【００１６】
また、請求項３に記載の発明においては、前記調整手段を、前記収納空間外に備えられた操作部を操作することにより前記搬送ベルトの装着作業を調整する第２調整手段とし、前記揚送装置を前記収納空間に収納した状態において、前記写影手段によって映し出される映像を前記収納空間外で映し出し、尚かつ、前記第２調整手段の前記操作部を前記収納空間外で且つ前記写影手段によって映し出される映像の近傍に設けたこと、を特徴とする。
このように構成することにより、写影手段によって映し出される映像を、揚送装置が収納される狭い収納空間ではなく、その収納空間外、例えば、遊技機島台の外側面や妻板、ホールコンピュータ室等に映し出すことで、作業者にとって都合の良い任意の位置で、搬送ベルトの装着状態を視認することが可能となる。このため、揚送装置を遊技機島台内の収納空間に収納したままの状態でも、搬送ベルトの装着状態の視認作業を更に容易とすることができる。また、写影手段によって映し出される映像を視認しながら搬送ベルトの装着状態を調整することができるので、搬送ベルトの調整作業が容易となると共に、精度の高い調整作業を行うことができるようになる。更に、第２調整手段の操作部を、写影手段によって映し出される映像の近傍に設けることにより、搬送ベルトの装着状態に関する調整作業の利便性を向上させることができる。
なお、本発明でいう収納空間外とは、遊技機島台内部であって収納空間外の場合と完全に遊技機島台外部の場合を示す。また、本発明でいう近傍とは、作業者が写影手段によって映し出される映像を見ながら、第２調整手段の操作部に手が届く範囲のことを示す。
【００１７】
また、請求項４に記載の発明においては、前記写影手段は、少なくとも、前記テンションローラ機構に係る前記搬送ベルトの装着状態を映し出す鏡と、該鏡の取付け角度を自在に調整することが可能な角度調整機構と、で構成すること、を特徴とする。
このように構成することにより、搬送ベルトの装着状態を鏡を介して間接的に視認することができる為、無理な姿勢をとる必要が無くなる。また、作業者の体格や目線に合わせて鏡の取付け角度を調整することができる為、無理な姿勢をとる必要が更に無くなる。このため、搬送ベルトの装着状態に関する調整作業及び視認作業の利便性を更に向上させることができる。
【００１８】
また、請求項５に記載の発明においては、前記写影手段は、少なくとも、前記テンションローラ機構に係る前記搬送ベルトの装着状態を撮影する撮影カメラと、該撮影カメラによって撮影された映像を映し出すモニタと、で構成すること、を特徴とする。
このように構成することにより、搬送ベルトの装着状態を直接的に視認する場合と同じ鮮明な状態をモニタを介して間接的に視認することができる。また、ズームアップ等の機能を駆使することも可能となる。このため、搬送ベルトの装着状態をより正確に把握することが可能となり、搬送ベルトの装着状態に関する調整作業及び視認作業の利便性を更に向上させることができる。
【００１９】
【発明の実施の形態】
以下、本発明の実施形態について図面を参照して説明する。なお、本実施態様においては、遊技機としてパチンコ遊技機９０（図７参照）を例示して説明するが、遊技機としてスロットマシンや他の遊技機であってもよい。
【００２０】
まず、本実施形態に係る遊技機島台としてのパチンコ島台１の概略構成について説明する。図１は、本実施形態に係るパチンコ島台１の内部を示す正面図である。
なお、図１は、パチンコ島台１の内部空間を示したものであるが、パチンコ島台１の外部表面は、ほぼ図７に示す通りである。但し、図７は、後述するが、他の実施形態を示す図である。しかしながら、発明の要部（モニタ７５及びモニタ操作スイッチ７６）以外は、同一である。従って、必要に応じて、図１に示す実施形態でも、引用することとする。
【００２１】
パチンコ島台１は、周知のように、直方体状に枠組み構成され、その長手方向両面にパチンコ遊技機設置部２が設けられ、複数のパチンコ遊技機９０が背向列設するようになっている。また、パチンコ遊技機設置部２には、各パチンコ遊技機９０に挟持されるように台間玉貸機９９（図７参照）が設けられており、この台間玉貸機９９はパチンコ遊技機９０と１対１対応するように設けられていると共に、硬貨または紙幣、あるいはプリペイドカード又は貯玉カードによりパチンコ玉を貸し出すようになっている。
【００２２】
また、パチンコ島台１のほぼ中央の研磨揚送装置収納部７４には、後述する研磨揚送装置３０（横置き型）が立設されている（図１拡大図参照）。すなわち、研磨揚送装置収納部７４は研磨揚送装置３０を収納する収納空間である。本実施形態における研磨揚送装置３０は、帯状（無端状）の搬送ベルト３４（図２参照）によってパチンコ玉を揚送するものであり、その帯状の搬送ベルト３４がパチンコ島台１の長手方向と直交するように配置されて下部の導入樋３から導入したパチンコ玉を上部に研磨しながら揚送して上部タンク４に排出するものである。
【００２３】
パチンコ島台１の上部には、研磨揚送装置３０によって揚送されたパチンコ玉を一時的に貯留する上部タンク（上部主タンク４と上部従タンク５のことであり以下、「上部タンク４、５」と示す）が設けられ、該上部タンク４，５からは、各パチンコ遊技機９０にパチンコ玉を供給するための補給樋６ａ，６ｂが、パチンコ島台１の長手方向左右端部に向かって傾斜状に設けられている。研磨揚送装置３０により揚送されたパチンコ玉は、まず上部主タンク４に誘導され、上部主タンク４につながる補給樋６ａ及び上部従タンク５に振り分けられる。上部従タンク５に振り分けられたパチンコ玉は、上部従タンク５につながる補給樋６ｂに誘導される。
【００２４】
上記した補給樋６ａ，６ｂ及び上部従タンク５にパチンコ玉が充満し、更に、上部主タンク４もパチンコ玉で充満すると、オーバーフロー状態となり、上部主タンク４からパチンコ玉が溢れ出し、上部主タンク４及び上部従タンク５の下方に設置される分岐箱７に誘導される。該分岐箱７に誘導されたパチンコ玉は、まず、研磨揚送装置３０の図示右側方に沿って形成される右オーバーフローダクト８に優先的に誘導され、右オーバーフローダクト８からパチンコ島台１の下部にあるメインタンク（貯留タンク）１０に誘導され、貯留されることとなる。メインタンク１０がパチンコ玉によって充満し、右オーバーフローダクト８もパチンコ玉で充満されると、分岐箱７からのパチンコ玉は、研磨揚送装置３０の図示左側方に沿って形成される左オーバーフローダクト９に誘導され、左オーバーフローダクト９からパチンコ島台１の下部にあるサブタンク（貯留タンク）１１に誘導され貯留されることとなる。
【００２５】
一方、上記した補給樋６ａ，６ｂには、各パチンコ遊技機９０にパチンコ玉を誘導する分配シュート１２が各パチンコ遊技機９０に対応して設けられている。分配シュート１２によって取り込まれたパチンコ玉は、分配シュート１２の下方に位置する補給装置１３によりパチンコ遊技機９０の背面上部に設けられた賞球タンク（図示しない）に供給され、景品玉や遊技玉として使用される。また、補給樋６ａ，６ｂの下流端まで流下してきたパチンコ玉を蛇腹１８を介してアウト玉回収樋１４に誘導することができるように玉抜き用分離機１７が設けられている。
【００２６】
一方、パチンコ遊技機９０から排出される使用済みのパチンコ玉（アウト玉）は、アウト玉回収ボックス１５で回収された後、下方に排出される。アウト玉回収ボックス１５から排出されたパチンコ玉は、パチンコ島台１の両端部からそのほぼ中央に向けて下り傾斜状に設けられる前述のアウト玉回収樋１４上に落下せしめられる。
【００２７】
なお、アウト玉回収樋１４は、主に、各パチンコ遊技機９０に対応して設けられたアウト玉回収ボックス１５に排出される使用済みのパチンコ玉（アウト玉）を回収するものであり、図示の場合、研磨揚送装置３０を挟んで右側のアウト玉回収樋１４の下流端は、メインタンク１０に接続され、研磨揚送装置３０を挟んで左側のアウト玉回収樋１４は、サブタンク１１に接続されている。なお、サブタンク１１は、連結樋１６を介してメインタンク１０に接続されている。
【００２８】
また、パチンコ遊技機設置部２の下部には、パチンコ島台１に対してほぼ直交するように外側に向かってカウンター台９７（図７参照）が突設されている。該カウンター台９７には、玉箱（図示しない）が載置されるものであり、また、カウンター台９７の下方には、パチンコ島台１の下部外観を構成する腰板９８（図７参照）がパチンコ島台１に対して着脱自在に設置されている。この腰板９８に対応する位置のパチンコ島台１内部には、前述したアウト玉回収樋１４が位置しているため、腰板９８を取り外すことにより、アウト玉回収樋１４のメンテナンスや玉詰まり等のトラブルに対する処置を容易に行うことができる。
【００２９】
なお、本実施形態におけるアウト玉回収樋１４は、アウト玉回収ボックス１５から排出されたパチンコ玉、玉抜き用分離機１７から蛇腹１８を介して導出されたパチンコ玉をまとめて回収するものであり、簀の子状の誘導レールをパチンコ島台１の中央に長手方向に沿って敷設することにより構成されているが、このアウト玉回収樋１４は、簀の子状の誘導レールに限らず、ベルトコンベア等により構成されるものであってもよい。また、パチンコ島台１の長手方向ほぼ中央に設置される玉計数器１９で回収されたパチンコ玉はメインタンク１０に直接排出される。
【００３０】
これまで説明してきたことから、研磨揚送装置３０により揚送されたパチンコ玉は上部主タンク４に排出された後、右オーバーフローダクト８からの溢れ玉、玉計数器１９からの計数済みの玉、研磨揚送装置３０を挟んで右側のアウト玉回収樋１４による回収玉、が直接メインタンク１０に貯留され、左オーバーフローダクト９からの溢れ玉、研磨揚送装置３０を挟んで左側のアウト玉回収樋１４による回収玉、が一旦サブタンク１１に貯留された後、連結樋１６を介して誘導されメインタンク１０に貯留される。このようにしてメインタンク１０に貯留されたパチンコ玉は、メインタンク１０の左側面部の下方から誘導樋７３によって前述した導入樋３に誘導され、再び導入樋３から研磨揚送装置３０へ導入されることにより、パチンコ玉はパチンコ島台１内を循環するものである。
【００３１】
なお、本実施形態の要部であるミラー機構８２（図示したハッチング部）が、メインタンク１０の左側面部の高さ方向にして略中ほどに設けられている。当該ミラー機構８２については後に詳述する。
【００３２】
パチンコ島台１の上面部の長手方向両側方には、研磨揚送装置３０等のパチンコ島台１内に設置される複数の装置の状態を表示する島端表示ランプ（いわゆる代表ランプ）２０が設置されており、上部タンク４の側面上方には、パチンコ島台１内のパチンコ玉がオーバーフロー状態であるとき等に点灯するフラッシュランプ２１が設置されている。
【００３３】
また、上部主タンク４の下方には、パチンコ遊技機９０に電源を供給する電源ボックス２２が設置され、当該電源ボックス２２の右側方にあるトランス２３を介して所定の電圧に変換し、パチンコ遊技機９０に電源の供給を行っている。なお、電源ボックス２２は、研磨揚送装置３０にも電源を供給している。
【００３４】
次に、本実施形態における研磨揚送装置３０について、図２を参照して説明する。図２は、本実施形態におけるテンションローラ機構５０を備えた研磨揚送装置３０の前面拡大図である。
【００３５】
図２に示すように、研磨揚送装置３０は、支持台３１の上方に保持板４２及び開閉保持板４１を介して、揚送筒本体３２が垂直状に立設されている。そして、該揚送筒本体３２の下方には、保持板４２に支持されているモータ内蔵式の下部ローラ３３が設置されており、また、揚送筒本体３２の上部には、上部ローラ（図示しない）が軸支されている。そして、該２つの回転ローラ（下部ローラ３３及び上部ローラ）の間には、革製の搬送ベルト３４が掛け渡され、下部ローラ３３が駆動することにより、無端状の搬送ベルトが前記２つの回転ローラに沿って周回するようになっている。尚、開閉保持板４１は、搬送ベルト３４を側方から引き出すために、蝶番４０を介して、開閉自在に設けられている。また、下部ローラ３３の駆動源であるモータに接続される電源コードは、図２には、図示されていないが、保持板４２の側面、ほぼ中央に設けられた穴を通って、モータに接続されている。
【００３６】
また、搬送ベルト３４に張力を付与するために少なくとも１つ（本実施形態では３つ）のテンションローラ（第１テンションローラ５１，第２テンションローラ５２，第３テンションローラ５３）からなるテンションローラ機構５０が、所定の位置である研磨揚送装置３０の下方、下部ローラ３３の上方に設けられている。すなわち、研磨揚送装置３０は、少なくとも１つのテンションローラに巻き掛けることで張力を付加される搬送ベルト３４によってパチンコ玉を揚送するものである。そして、揚送筒本体３２の下方には、円弧状の下部樋４３を介して玉磨き処理前のパチンコ玉が流入して複数列に整列せしめられる導入樋３が接続され、揚送筒本体３２の上部には、玉磨き処理後のパチンコ玉が上部主タンク４に排出される排出樋４４（図１参照）が接続されている。
【００３７】
導入樋３から流入したパチンコ玉は、搬送ベルト３４（説明の便宜上、当該図では破線で示す）によって上方に揚送され、排出樋４４から排出されるが、その揚送される過程で研磨揚送装置３０の背面に取り付けられたガイドレールカバー３５に周設される布ベルト７１（図３、図４参照）との摩擦力によってパチンコ玉に付着した汚れが拭き取られ、排出樋４４からは、奇麗にされたパチンコ玉が排出されることになる。なお、導入樋３には、導入樋３の傾斜角を調整する傾斜角調整ボルト３６が設けられている。この傾斜角調整ボルト３６には、スプリング３６ａが周設されており、このスプリング３６ａの付勢力により導入樋３を常に下部ローラ３３側へ押し上げるようになっており、内部を流下するパチンコ玉によって導入樋３に過負荷が加わったときには、スプリング３６ａが当該負荷を吸収して一時的に撓むことで、パチンコ玉のスムーズに整列を促すような構造となっている。
【００３８】
なお、搬送ベルト３４の機能は、パチンコ玉を揚送することであるが、研磨揚送装置３０が駆動することにより搬送ベルト３４にはパチンコ玉の汚れが付着するときがある。基本的には、パチンコ玉の汚れは布ベルト７１によって拭き取られるが、研磨揚送装置３０を長時間駆動することにより、搬送ベルト３４側にも汚れが付着してしまう場合があった。これでは、搬送ベルト３４側に付着した汚れがパチンコ玉に付着して再び汚してしまう可能性があった。そこで、本実施形態には用いていないが、揚送筒本体３２および搬送ベルト３４の前面にローラを２つ設け、一方のローラに研磨手段（例えば、磨石等）を設け、もう一方のローラに布シートを設けることにより、研磨手段によって搬送ベルト３４に付着した汚れを削り、布シートで削った汚れを拭き取るようにしてもよい。このようにすることにより、搬送ベルト３４の汚れを除去でき、研磨揚送装置３０を長時間駆動してもパチンコ玉の汚れを奇麗に除去できる。
【００３９】
また、布ベルト７１は、使用後に洗濯等を行い繰り返し使用するものであるが、パチンコ玉の摩擦および洗濯等によって布ベルト７１自体が徐々に摩耗や縮みが生じる。これにより、後述するガイドレールカバー３５内で布ベルト７１がはずれ、ガイドレールカバー３５の破損等が生じる恐れがあった。しかし、従来の布ベルト７１は、摩耗した布ベルト７１を新しい布ベルト７１に交換する時期の判断が難しいという問題があった。そこで本実施形態においては、布ベルト７１が磨り減ったときに浮き出てくる交換目安ラインを設けた交換目安付布ベルト７１を使用している。つまり、交換目安ラインが見えるようになったら布ベルト７１を交換する時期が来たことを知らせるようにしている。これにより、布ベルト７１の交換時期が一目瞭然となり、ガイドレールカバー３５の破損等の重大な問題を未然に防ぐことができる。
【００４０】
揚送筒本体３２の背面側には、ガイドレールカバー開閉用蝶番７０（図３参照）を介して、ガイドレールカバー３５が開閉自在に取り付けられるようになっている。このガイドレールカバー３５は、搬送ベルト３４や布ベルト７１を研磨揚送装置３０に装着する際に開閉すると共に、布ベルト７１自体がガイドレールカバー３５を周回するように装着できる構成となっている。そして、搬送ベルト３４や布ベルト７１が装着された時には、係合突起３８を、回動自在に軸支された止め金具３７で支持し係合することによって、ガイドレールカバー３５を揚送筒本体３２に対面させた状態に維持される。ただし、揚送筒本体３２とガイドレールカバー３５との間には、隙間が形成されることとなるが、この隙間は、止め金具３７の軸支位置を調節することによってその隙間寸法を設定することが可能であって、その設定値に応じて揚送されるパチンコ玉への圧力を調整することができる。また、ガイドレールカバー３５には、その背面に使用前の布ベルト７１を装着する使用前布ベルト装着部３９と使用済の布ベルト７１を装着する使用済布ベルト装着部（図示しない）とが設けられ、さらに、その上端部には布ベルト７１を案内するためのローラ（図示しない）が設けられている。
【００４１】
なお、上記した研磨揚送装置３０の揚送筒本体３２とガイドレールカバー３５とは、揚送筒本体３２の両側面の複数箇所に回動自在に軸支された止め金具３７によって取り付けられるが、その止め金具３７は、前述したようにガイドレールカバー３５の側面から突設される係合突起３８を支持し係合するものである。
【００４２】
しかして、使用前布ベルト装着部３９に装着された布ベルト７１は、ガイドレールカバー３５の下端から前面を通ってガイドレールカバー３５の上端部にあるローラに掛け渡され、その後、使用済布ベルト装着部（図示しない）に装着される。そして、そのように布ベルト７１を装着した状態で止め金具３７等でガイドレールカバー３５を揚送筒本体３２に装着することにより、布ベルト７１と搬送ベルト３４とを対面させたのち、搬送ベルト３４を周回動作させることにより、パチンコ玉がガイドレールカバー３５の前面に形成される複数の玉通路に布ベルト７１を間に挟んで嵌り込み、該布ベルト７１に汚れを付着させながら上昇するものである。なお、営業終了時には、使用前布ベルト装着部３９を操作して布ベルト７１が移動し得るようにした状態で、裏面上部の布ベルト７１を引っ張って未使用面をガイドレールカバー３５の前面側に位置させるようにし、その引っ張って余った布ベルト７１の使用済み部分を使用済布ベルト装着部（図示しない）に装着する。これによって、翌日の研磨に対する準備が終了する。
【００４３】
また、上記した上部ローラ（図示しない）は排出樋４４内部に設置され、該上部ローラは、周知のように、揚送筒本体３２の両側面に設けられ、該揚送筒本体３２に対して上下方向に摺動可能に構成されている。該摺動可能に構成したのは、長期間の使用によって搬送ベルト３４が延びたとき等に搬送ベルト３４の使用時における揚送能力を調節するためのものである。
【００４４】
テンションローラ機構５０は、固定アーム取付シャーシ６８を介して、揚送筒本体３２に固定される固定アーム（第１固定アーム５４ａ、５４ｂ，第３固定アーム６４ａ、６４ｂ）の先端にローラ軸（第１ローラ軸５５，第３ローラ軸６５）を介して回転自在に軸支される非付勢力テンションローラ（第１テンションローラ５１，第３テンションローラ５３）と、揚送筒本体３２に固定され且つ後述する付勢力付加手段（スプリング６２，シャフト６１）を備えた固定アーム（第２固定アーム６０ａ、６０ｂ）にローラ軸（第２ローラ軸６３）を介して回転自在に軸支される付勢力テンションローラ（第２テンションローラ５２）と、によって構成されるものである。そして、３つのテンションローラ５１，５２，５３のうち、上下２つの第１，第３テンションローラ５１，５３の内側に搬送ベルト３４が通され、中央の第２テンションローラ５２の外側に搬送ベルト３４が通されて、全体として交互に掛け渡された状態となるようになっている。
【００４５】
なお、本実施形態に係るテンションローラ機構５０は、２つの非付勢力テンションローラ（第１テンションローラ５１，第３テンションローラ５３）と、１つの付勢力テンションローラ（第２テンションローラ５２）と、で構成されているものであるが、結果として搬送ベルト３４に張力を付与している構成ならその他の構成でもあっても良い。即ち、テンションローラの数や付勢力テンションローラの有無等は、設計変更事項範囲内と解するという意味である。
【００４６】
テンションローラ機構５０のうち最も上方に位置する第１テンションローラ５１の第１ローラ軸５５は、一端（図面左側）が水平方向に設けられたボルト５６によって、第１固定アーム５４ａを摺動板５４ｃ（図３，４，５参照）で挟み込む状態に係止され、他端（図面右側）が垂直方向に設けられたボルト５８によって第１固定アーム５４ｂに係止されている。図面左側の第１固定アーム５４ａには、搬送ベルト３４の横ずれが発生した場合に、該搬送ベルト３４の装着状態を調整するための調整手段としての第１調整手段５４が設けられている。
【００４７】
当該第１調整手段５４は、中が空洞で直方体形状の第１調整手段５４の基体となる第１固定アーム５４ａと、該第１固定アーム５４ａの側面に設けられ垂直方向に長い調整穴５９と、第１固定アーム５４ａ内に設けられ第１固定アーム５４ａ内を垂直方向に所定距離、摺動可能な直方体形状の摺動板５４ｃと、第１固定アーム５４ａの上面に設けられた穴を貫通し該摺動板５４ｃに垂直方向に螺合する調整ボルト５７と、調整穴５９を貫通し摺動板５４ｃに水平方向に螺合するボルト５６と、で構成されている。
【００４８】
なお、本実施形態における第１調整手段５４は、図面の左側、即ち、第１固定アーム５４ａ側に設けられているが、より詳しくは、パチンコ島台１の研磨揚送装置収納部７４に研磨揚送装置３０を収納した状態で、研磨揚送装置３０の収納出入口側に設けるという技術思想のものである。つまり、本実施形態に係る第１調整手段５４は、パチンコ島台１内に研磨揚送装置３０を収納した状態において、研磨揚送装置３０の外側から開口部として収納出入口を通して操作可能でなければならないのであり、より詳しくは、研磨揚送装置収納部７４外で且つ開閉扉９３及び中扉９４及び扉枠９６を開放した領域（図７参照）又は扉枠９６のみを取り外した領域（図７参照）から操作可能でなければならないである。
【００４９】
ここで、搬送ベルト３４の調整方法を説明する。
まず、ボルト５６を少し緩め、第１固定アーム５４ａに固定されている第１ローラ軸５５が移動可能な状態にする。このボルト５６を緩める際に、作業者は搬送ベルト３４によって第１テンションローラ５１自体に外向きの力が働いていることを感じるが、この程度の状態が最も調整し易い状態である。
【００５０】
次に、調整ボルト５７を回動させることにより、該調整ボルト５７と螺合している第１固定アーム５４ａ内に設けられた摺動板５４ｃを垂直方向に移動させる。すると、同じく摺動板５４ｃと水平方向から螺合しているボルト５６が調整穴５９に沿って移動し始める。即ち、摺動板５４ｃの垂直方向の移動が、ボルト５６の調整穴５９内の移動となり、結果として、第１ローラ軸５５の傾きが、つまり、第１テンションローラ５１の傾きが変化する仕組みとなっているのである。
【００５１】
具体的には、図２において、搬送ベルト３４が手前（左）方向に横ずれした場合には、ボルト５６を下方に移動させるように調整ボルト５７を調整する。すると、搬送ベルト３４の回動に伴い、結果として、搬送ベルト３４が奥（右）方向に移動し始める。反対に、搬送ベルト３４が奥（右）方向に横ずれした場合には、上述の操作の逆を行えば良い。即ち、ボルト５６を上方に移動させるように調整ボルト５７を調整するのである。
最後に、搬送ベルト３４の調整が完了したら、ボルト５６を締め付けることにより、第１ローラ軸５５を移動不可能な状態とする。
【００５２】
また、中央の第２テンションローラ５２を揚送筒本体３２に固定するための第２固定アーム６０ａ、６０ｂには、付勢力付加手段であるスプリング６２と、該スプリング６２が周設されたシャフト６１と、が設けられている。そして、第２テンションローラ５２の第２ローラ軸６３の両端にはシャフト６１を挿入する挿入穴（図示しない）が設けられ、この挿入穴にスプリング６２が周設されたシャフト６１を挿入することで、第２ローラ軸６３がシャフト６１を摺動し、第２テンションローラ５２が搬送ベルト３４に対して、前方に押し出す付勢力を与える構成となっている。
【００５３】
なお、第２テンションローラ５２は前方に押し出す付勢力を与える構成となっているが、第２テンションローラ５２の上下にある第１、第３テンションローラ５１，５３に、搬送ベルト３４を後方に押さえ付ける付勢力を与える構成としても良い。
【００５４】
また、最も下にある第３テンションローラ５３の第３ローラ軸６５は、一端（図面左側）が水平方向に設けられたボルト６６によって第３固定アーム６４ａに係止され、他端（図面右側）が垂直方向に設けられたボルト６７によって第３固定アーム６４ｂに係止されている。
【００５５】
なお、上記した第１テンションローラ５１及び第３テンションローラ５３は、一端（図面右側）がボルト５８およびボルト６７を中心として回動可能な状態で係止されている。つまり、第１ローラ軸５５を第１固定アーム５４ａに係止するボルト５６を外すことにより、ボルト５８を中心として第１テンションローラ５１が回動するようになっている。また、第３ローラ軸６５を第３固定アーム６４ａに係止するボルト６６を外すことにより、ボルト６７を中心として第３テンションローラ５３が回動するようになっている。
【００５６】
このように、第１ローラ軸５５を第１固定アーム５４ａに係止しているボルト５６を外し、第１テンションローラ５１の他端にあるボルト５８を中心として第１テンションローラ５１を前方に回動させ、同様に第３ローラ軸６５を第３固定アーム６４ａに係止しているボルト６６を外し、第３テンションローラ５３の他端にあるボルト６７を中心として第３テンションローラ５３を前方に回動させることで搬送ベルト３４に付加されていた張力を解除でき、搬送ベルト３４を取り外すことが可能になっている。
【００５７】
なお、研磨揚送装置３０を長時間駆動することにより、テンションローラ（第１テンションローラ５１、第２テンションローラ５２、第３テンションローラ５３）にパチンコ玉の汚れが付着するが、このテンションローラ５１〜５３に付着した汚れを除去するような構成を設けても良い。例えば、それぞれのテンションローラまたは少なくとも１つのテンションローラにシートを養生し、テンションローラに汚れが付着したらこのシートを取り替えることでテンションローラの汚れを除去するようにしても良い。
【００５８】
本実施形態における第２テンションローラ５２の側面部には、テンションローラ搬送ベルト位置調整用ガイドライン８０ａ、８０ｂが視認可能な状態で周設されている。また、下部ローラ３３の側面部には、下部ローラ搬送ベルト位置調整用ガイドライン８１ａ、８１ｂが視認可能な状態で周設されている。テンションローラ搬送ベルト位置調整用ガイドライン８０ａ、８０ｂおよび下部ローラ搬送ベルト位置調整用ガイドライン８１ａ、８１ｂは何れも、第２テンションローラ５２および下部ローラ３３に搬送ベルト３４が巻き掛けられた状態で回動しても半永久的に滅失することの無いように、ラインを刻むことで設けられている。さらに、テンションローラ搬送ベルト位置調整用ガイドライン８０ａと８０ｂの間隔および下部ローラ搬送ベルト位置調整用ガイドライン８１ａと８１ｂの間隔は、搬送ベルト３４のベルト幅寸法より僅かに大きい寸法に設定されている。
【００５９】
このように構成されるテンションローラ搬送ベルト位置調整用ガイドライン８０ａ、８０ｂおよび下部ローラ搬送ベルト位置調整用ガイドライン８１ａ、８１ｂの作用について説明する。図２は、破線で示した搬送ベルト３４が、第１テンションローラ５１、第２テンションローラ５２、第３テンションローラ５３および下部ローラ３３に巻き掛けられている状態が示されている。搬送ベルト３４が正常な装着状態にある場合、搬送ベルト３４はテンションローラ搬送ベルト位置調整用ガイドライン８０ａと８０ｂの中央または下部ローラ搬送ベルト位置調整用ガイドライン８１ａと８１ｂの中央に位置するものである。つまり、搬送ベルト３４の側面部が形成するラインと各ガイドラインの間隙が等しい状態である。したがって、搬送ベルト３４の横ずれが発生しているか否か、または何れの側にどれほどベルトの装着位置を調整すべきかの判断は、搬送ベルト３４の側面部が形成するラインと各ガイドラインの間隙を視認することによって行われる。そして、当該間隙が等しくなるように調整することで、搬送ベルト３４の横ずれは修正される。
【００６０】
なお、本実施形態においては、第２テンションローラ５２、および下部ローラ３３にのみガイドラインを周設したが、このような方法に限定する必要は無く、例えば第１テンションローラ５１、および第３テンションローラ５３にもガイドラインを周設したものでも良い。このように構成することにより、より多くの箇所での確認が可能となり、搬送ベルト３４の装着状態の視認作業および調整作業の幅が拡がり、即ち、これら作業に対する利便性の向上を図ることができ、様々な事態に対応することが可能となる。
【００６１】
本実施形態は、搬送ベルト３４の側面部が形成するラインと各ガイドライン（８０ａ、８０ｂ、８１ａ、８１ｂ）の間隙を作業者が視認することによって、搬送ベルト３４の横ずれを起こしているか否かを作業者の視覚を通して判断するという技術思想をより実行し易くしたものであるが、次に、本実施形態の要部であるミラー機構８２を、図３、図４、および図５を参照して説明することで、搬送ベルト３４の横ずれを起こしているか否かを作業者の視覚を通して判断するという技術思想を説明する。
【００６２】
図３および図４は、本実施形態に係るミラー機構８２を備えたパチンコ島台１の内部を示す拡大斜視図である。図５は、搬送ベルト３４の装着状態を映す回転式ミラー８１の正面図である。なお、図３および図４には主に研磨揚送装置３０、メインタンク１０及びミラー機構８２を図示し、パチンコ島台１を構成する他の部品乃至機構等は説明の便宜上省略する。但し、本実施形態における搬送ベルト３４の装着状態を作業者がミラー機構８２によって視認する際、スライド扉９５（図７参照）を開放または当該スライド扉９５が摺動可能に嵌め込まれた扉枠９６（図７参照）ごと取り外すことにより、図示したように研磨揚送装置３０の側面部及びミラー機構８２がパチンコ島台１の外部からでも視認可能となるものである。
【００６３】
すなわち、ミラー機構８２は、研磨揚送装置３０を研磨揚送装置収納部（収納空間）７４に収納した状態で、搬送ベルト３４の装着状態を映し出す写影手段である。さらに、ミラー機構８２によって映し出された搬送ベルト３４の装着状態をパチンコ島台１の外部すなわち研磨揚送装置収納部（収納空間）７４外から視認できるものである。
【００６４】
図３には本実施形態における要部としてのミラー機構８２（ハッチング部）が示されている。但し、ミラー機構８２は、後述する回転式ミラー８１と支持球８３により構成されるものであるが、当該図３には回転式ミラー８１のみ図示していて支持球８３は図示していない。当該ミラー機構８２は搬送ベルト３４の略正面に対面する状態で、メインタンク１０の左側面部の高さ方向にして略中ほどに設置されている。ミラー機構８２はこのような位置に設けられることで、何らかの遮蔽物に邪魔されること無く搬送ベルト３４の装着状態を映すことができ、作業者がパチンコ島台１の外部からでも、搬送ベルト３４の装着状態を視認できるように構成されている。より詳しくは、研磨揚送装置３０の下方に設置されるテンションローラ機構５０（特に、第１テンションローラ５１及び第２テンションローラ５２）と搬送ベルト３４との接触状態を視認できるように構成されている。
【００６５】
また、ミラー機構８２は鏡の角度を自由に変更調整が可能な構成を有するものである。当該構成について次に図４を参照して説明する。
図４の実線枠内には前述の図３に示した本実施形態に係るミラー機構８２を備えたパチンコ島台１の内部を示す拡大斜視図を更に拡大して示している。前述したようにミラー機構８２は、回転式ミラー８１と支持球８３により構成される。詳述すると図４の実線枠内に図示するように、支持球８３が、球状部とその球状部に突設される台座状部によって一体的に構成され、メインタンク１０の左側面部の高さ方向にして略中ほどに、上記した台座状部の端面部を当接して設置されている。この支持球８３の球状部によって回転式ミラー８１（説明の便宜上、破線で示す）が回動自在に支持されている。この支持形式は、所謂自在継ぎ手（ユニバーサルジョイント）の技術を用いたものであり、実線枠外に抜き出して示した回転式ミラー８１（実線枠内に図示した回転式ミラー８１の裏側を図示）には、支持球８３の球状部を包み込むような形状及び嵌合度に形成される支持球ハウス８１ａが穿設されている。
【００６６】
上記したような構成を有するミラー機構８２は、自在継ぎ手によってフレキシブルに角度を調節することが出来る回転式ミラー８１の鏡面部に、テンションローラ機構５０乃至下部ローラ３３における搬送ベルト３４の装着状態等を映すものである。これにより作業者は様々な都合に合わせて回転式ミラー８１を任意の角度に調節することで、搬送ベルト３４の装着状態等を回転式ミラー８１を介して視認するものである。そして、作業者は回転式ミラー８１を介して搬送ベルト３４の横ずれ等を視認し、搬送ベルト３４の装着状態を調整する必要が生じた場合、回転式ミラー８１の鏡面部に映された像を視認しながら、前述したテンションローラ機構５０の調整手段によって、搬送ベルト３４の装着状態を修正するものである。このような調整作業についての具体的な説明は、既に前述したが、本実施形態の要部であるミラー機構８２を用いて行う調整作業について、次に図５を参照して説明する。なお、以上に説明したことから、ミラー機構（写映手段）８２は、搬送ベルト３４の装着状態を映し出す回転式ミラー（鏡）８１と、回転式ミラー８１の取付け角度を自在に調整することが可能な支持球ハウス８１ａと支持球８３で構成される自在継ぎ手（角度調整機構）を備えるものである。
【００６７】
先ず、図５は（Ａ）、（Ｂ）ともに搬送ベルト３４が装着されたテンションローラ機構５０の上部を映す回転式ミラー８１の鏡面部を示すものである。なお、当然のことであるが、図５（Ａ）、（Ｂ）における研磨揚送装置３０の各部品及び機構等は、回転式ミラー８１の鏡面部に映された像であるため、実像とは面対称に図示されている。したがって、作業者が調整作業の際に視認する像は当該図に示す像である。図中に示された矢印について説明すると、垂直方向の矢印は、その指し示す方向に第１ローラ軸５５を移動させることによって、搬送ベルト３４が水平方向の矢印の指し示す方向に移動するものである。
【００６８】
図５（Ａ）に示す回転式ミラー８１の鏡面部に映った像のうちで、作業者は第２テンションローラ５２に周設されたテンションローラ搬送ベルト位置調整用ガイドライン８０ａ、８０ｂと搬送ベルト３４（説明の便宜上破線で示す）の側面部が形成するラインとの位置関係を視認して見比べた上で、搬送ベルト３４を右方向に移動させようとする場合、搬送ベルト３４を回動させたまま、前述したように、まず、ボルト５６を少し緩め、第１固定アーム５４ａに固定されている第１ローラ軸５５が移動可能な状態にする。次に、調整ボルト５７を時計方向に回動させることにより、該調整ボルト５７と螺合している第１固定アーム５４ａ内に設けられた摺動板５４ｃを上向き垂直方向に移動させ、移動が終了したら搬送ベルト３４を暫く回動させたまま搬送ベルト３４が回動位置を定着させるのを待つ。回動位置を定着した時点で再度、テンションローラ搬送ベルト位置調整用ガイドライン８０ａ、８０ｂと搬送ベルト３４の側面部が形成するラインとの位置関係を視認して見比べ、正常な位置に搬送ベルト３４が装着されていれば調整作業を終了し、修正が足りない場合は上記した作業を再度行い、修正が行過ぎた場合は、図５（Ｂ）に示すように、上記した作業とは逆の作業、すなわち第１ローラ軸５５を下向きに移動させることで調整を行うものである。このようにして、搬送ベルト３４の装着状態の調整作業は行われる。
【００６９】
なお、本実施形態において、搬送ベルト３４の装着状態の視認作業または調整作業を行う際には、前述したようにスライド扉９５（図７参照）をスライドして開放するか、スライド扉９５が摺動可能に嵌め込まれた扉枠９６（図７参照）ごと取り外して行われる。更に必要であれば中扉９４（図７参照）を開放した上で確認作業または調整作業が行われる。
【００７０】
また、パチンコ島台１から研磨揚送装置３０を出し入れする際には、開閉扉９３及び中扉９４を開放し、扉枠９６を取り外すことで、研磨揚送装置３０を出し入れ可能となる。なお、これら開閉扉９３及び中扉９４及び扉枠９６を開放した領域、及び扉枠９６のみを取り外した領域が、研磨揚送装置収納部（収納空間）７４の一部を開設した開口部である。
【００７１】
次に、本実施形態における第２実施例について、図６及び図７を参照して説明する。図６は、本実施形態の第２実施例としてモータによる第２調整手段８５を含むテンションローラ機構５０を備えた研磨揚送装置３０の前面拡大斜視図である。図７は、本実施形態の第２実施例に係るモニタ７５とモータ操作スイッチ７６を備えたパチンコ島台１の外部を示す正面図である。
【００７２】
前述した第１の実施例の場合、搬送ベルト３４の装着状態の調整作業は、手動により調整ボルト５７を回動することで行われたが、第２実施例の場合、第１ローラ軸支持高さ調整用モータ８８を正回転または逆回転させることで行われる。即ち、第１実施例は、手動で、第２実施例は、電動で、搬送ベルト３４の装着状態の調整作業が行われているということである。
【００７３】
次に、第２実施例の調整手段としての第２調整手段８５に関して、その構成を以下に説明する。
第１テンションローラ５１の第１ローラ軸５５は、一端（図面左側）が水平方向に設けられたボルト８７によって、第１固定アーム８５ａを摺動板８５ｃ（破線で図示した）で挟み込む状態に係止され、他端（図面右側）が垂直方向に設けられたボルト５８によって第１固定アーム８５ｂに係止されている。図面左側の第１固定アーム８５ａには、搬送ベルトの横ずれを調節する調整手段としての第２調整手段８５が設けられている。なお、第１調整手段５４の場合は、ボルト５６を締め付けることにより、ボルト５６と摺動板５４ｃとの間に第１ローラ軸５５を挟み込みことで、第１ローラ軸５５を強固に支持しているが、第２調整手段８５の場合は、第１ローラ軸支持高さ調整用モータ８８の回動軸自体の固定力（支持力）で、第１ローラ軸５５の支持位置を保っている。即ち、第２調整手段８５におけるボルト８５の締め付けの力は、第１調整手段５４におけるボルト５６の締め付けの力より弱く、第１ローラ軸５５が水平方向に回動しない、がたつかない程度の力である。
【００７４】
当該第２調整手段８５は、中が空洞で直方体形状の第２調整手段８５の基体となる第１固定アーム８５ａと、該第１固定アーム８５ａの側面に設けられ垂直方向に長い調整穴８６と、第１固定アーム８５ａ内に設けられ第１固定アーム８５ａ内を垂直方向に所定距離、摺動可能な直方体形状の摺動板８５ｃと、第１固定アーム８５ａの上面に設けられた穴を貫通し該摺動板８５ｃに垂直方向に螺合するネジ部を回転軸の先端に備えた第１ローラ軸支持高さ調整用モータ８８と、調整穴８６を貫通し摺動板８５ｃに水平方向に螺合するボルト８７と、第１テンションローラ５１の角度を任意の角度に変化させる為の指示、即ち、電気信号を角度変化手段に与える操作部としてのモータ操作スイッチ７６を含む指示手段（図示しない）と、で構成されている。
【００７５】
このように構成された第２調整手段８５を用いた搬送ベルト３４の調整方法を説明する。
まず、第１ローラ軸支持高さ調整用モータ８８を回動させることにより、該第１ローラ軸支持高さ調整用モータ８８の回転軸の先端部に設けられたネジ部と螺合している第１固定アーム８５ａ内に設けられた摺動板８５ｃを垂直方向に移動させる。すると、同じく摺動板８５ｃと水平方向から螺合しているボルト８７が調整穴８６に沿って移動し始める。即ち、摺動板８５ｃの垂直方向の移動が、ボルト８７の調整穴８６内の移動となり、結果として、第１ローラ軸５５の傾きが、つまり、第１テンションローラ５１の傾きが変化する仕組みとなっているのである。つまり、基本的な作用は、第１調整手段５４のときと同じである。
【００７６】
具体的には、図６において、搬送ベルト３４が手前（左）方向に横ずれした場合には、ボルト８７を下方に移動させるように第１ローラ軸支持高さ調整用モータ８８を回動調整する。すると、搬送ベルト３４の回動に伴い、結果として、搬送ベルト３４が奥（右）方向に移動し始める。反対に、搬送ベルト３４が奥（右）方向に横ずれした場合には、上述の操作の逆を行えば良い。即ち、ボルト８７を上方に移動させるように第１ローラ軸支持高さ調整用モータ８８を回動して調整するものである。すなわち、第２調整手段８５は、第１テンションローラ５１の角度を第１ローラ軸支持高さ調整用モータ（電気的駆動部）８８により変化させる角度変化手段を備えるものと言える。
【００７７】
なお、第１実施例の場合、ミラー機構８２を介して作業者は搬送ベルト３４の装着状態を視認しながら、調整手段を用いて調整作業を行った。しかし、本実施例の場合は、ミラー機構８２に代わって、搬送ベルト３４の装着状態を映す撮影カメラ（図示しない）を所定位置に備える。また、前述した撮影カメラによって撮影された映像は、中扉９４表面、すなわちパチンコ島台１の外側に備えたモニタ７５に映し出される。
【００７８】
すなわち、この撮影カメラとモニタ７５は、研磨揚送装置３０を研磨揚送装置収納部（収納空間）７４に収納した状態で、搬送ベルト３４の装着状態を映し出す写影手段である。
中扉９４に備えられたモニタ７５の下方の近傍にはモータ操作スイッチ７６が設けられている。当該モータ操作スイッチ７６は、図示したように左右２種類のスイッチで構成され、右のスイッチを操作することによって第１ローラ軸支持高さ調整用モータ８８の回転軸が時計方向に回転し、左のスイッチを操作することによって同じく回転軸が反時計方向に回転するように、当該モータ操作スイッチ７６から第１ローラ軸支持高さ調整用モータ８８へ電気信号が送信される。すなわち、モータ操作スイッチ７６は、第１テンションローラ（テンションローラ）５１の角度を任意の角度に変化させる為の指示（電気信号）を角度変化手段に与える指示手段である。
【００７９】
このように構成される第２実施例において、作業者はモニタ７５に映し出された映像を見ながら、モータ操作スイッチ７６の左右何れかのスイッチを操作することで調整作業を行うものである。
【００８０】
以上、本実施形態について説明してきたが、本実施形態によれば、無端状の搬送ベルト３４が複数の回転ローラとしての上部ローラ（図示しない）及び下部ローラ３３に沿って周回することでパチンコ玉を所定の場所としての上部主タンク４に揚送する揚送装置としての研磨揚送装置３０と、研磨揚送装置３０の所定の位置としての下方に設置され且つ搬送ベルト３０に張力を付与するテンションローラとしての第２テンションローラ５２を少なくとも１つ含むテンションローラ機構５０と、所定の操作部としての調整ボルト５７又はモータ操作スイッチ７６を操作することにより搬送ベルト３０の装着状態を調整する調整手段としての第１調整手段５４又は第２調整手段８５と、研磨揚送装置３０を収納する収納空間としての研磨揚送装置収納部７４と、を備える遊技機島台としてのパチンコ島台１において、研磨揚送装置３０を研磨揚送装置収納部７４に収納した状態で、テンションローラ機構５０に係る搬送ベルト３０の装着状態の映像を映し出す写影手段としてのミラー機構８２又は撮影カメラ（図示しない）と電気的に接続されたモニタ７５を備えたことにより、揚送装置を遊技機島台内の収納空間に収納したままの状態でも、研磨揚送装置収納部７４の下方に設置されたテンションローラ機構５０に係る搬送ベルト３０の装着状態を、ミラー機構８２又は撮影カメラ（図示しない）と電気的に接続されたモニタ７５によって映し出される映像を通して、作業者が容易に視認することができるようになる。即ち、搬送ベルト３０の装着状態の視認作業（搬送ベルト３０が横ずれを起こしているか否かの視認作業）を容易化すると共に、「搬送ベルト３０の横ずれ」の早期発見及び該早期発見に伴う早期対策を図ることができるという優れた効果を奏する。
【００８１】
また、本実施形態おけるパチンコ島台１においては、研磨揚送装置収納部７４の一部を開設した開口部としての開閉扉９３及び中扉９４及び扉枠９６を開放した領域又は扉枠９６のみを取り外した領域と、研磨揚送装置３０に備えられた調整ボルト５７を操作することにより搬送ベルト３４の装着状態を調整する第１調整手段５４としての第１テンションローラ５１及び「第１テンションローラ５１と搬送ベルト３４との接触状態を変化させることを可能とした機構」と、を備え、研磨揚送装置３０を研磨揚送装置収納部７４に収納した状態において、ミラー機構８２又は撮影カメラ（図示しない）と電気的に接続されたモニタ７５によって映し出される映像を研磨揚送装置収納部７４外で且つ開閉扉９３及び中扉９４及び扉枠９６を開放した領域側又は扉枠９６のみを取り外した領域側から視認できるように映し出し、尚かつ、第１調整手段５４の調整ボルト５７を研磨揚送装置収納部７４外で且つ開閉扉９３及び中扉９４及び扉枠９６を開放した領域側又は扉枠９６のみを取り外した領域側から操作可能に備えたことにより、研磨揚送装置３０をパチンコ島台１内の研磨揚送装置収納部７４に収納したままの状態でも、研磨揚送装置収納部７４外で且つ開閉扉９３及び中扉９４及び扉枠９６を開放した領域側又は扉枠９６のみを取り外した領域側から、ミラー機構８２又は撮影カメラ（図示しない）と電気的に接続されたモニタ７５によって映し出される映像を視認しながら搬送ベルト３４の装着状態を調整することができるので、搬送ベルト３４の調整作業が容易となると共に、精度の高い調整作業を行うことができるようになる。
【００８２】
なお、前述の第１調整手段５４における「第１テンションローラ５１と搬送ベルト３４との接触状態を変化させることを可能とした機構」とは、本実施形態においては、少なくも第１固定アーム５４ａに設けられた調整ボルト５７及び調整穴５９及び摺動板５４ｃの各構成要素によって、第１テンションローラ５１の第１ローラ軸５５の一端を上下方向に変化させることにより、第１テンションローラ５１の角度を変化させる機構のことを指しているが、もちろん、本技術思想に逸脱していなければ、その他の態様であっても良い。
【００８３】
また、本実施形態おけるパチンコ島台１においては、研磨揚送装置収納部７４外に備えられたモータ操作スイッチ７６を操作することにより搬送ベルト３４の装着作業を調整する第２調整手段８５としての第１テンションローラ５１及び「第１テンションローラ５１と搬送ベルト３４との接触状態を変化させることを可能とした機構」と、を備え、研磨揚送装置３０を研磨揚送装置収納部７４に収納した状態において、ミラー機構８２又は撮影カメラ（図示しない）と電気的に接続されたモニタ７５によって映し出される映像を研磨揚送装置収納部７４外で映し出し、尚かつ、第２調整手段８５のモータ操作スイッチ７６を、研磨揚送装置収納部７４外で且つミラー機構８２又は撮影カメラ（図示しない）と電気的に接続されたモニタ７５によって映し出される映像の近傍に設けたことにより、ミラー機構８２又は撮影カメラ（図示しない）と電気的に接続されたモニタ７５によって映し出される映像を、研磨揚送装置３０が収納される狭い研磨揚送装置収納部７４ではなく、その研磨揚送装置収納部７４外、例えば、パチンコ島台１の外側面や妻板、ホールコンピュータ室等に映し出すことが可能となり、作業者にとって都合の良い任意の位置で、搬送ベルト３４の装着状態を視認することが可能となる。このため、研磨揚送装置３０をパチンコ島台１内の研磨揚送装置収納部７４に収納したままの状態でも、搬送ベルト３４の装着状態の視認作業を更に容易とすることができる。また、ミラー機構８２又は撮影カメラ（図示しない）と電気的に接続されたモニタ７５によって映し出される映像を視認しながら搬送ベルト３４の装着状態を調整することができるので、搬送ベルト３４の調整作業が容易となると共に、精度の高い調整作業を行うことができるようになる。更に、第２調整手段８５の操作部を、ミラー機構８２又は撮影カメラ（図示しない）と電気的に接続されたモニタ７５によって映し出される映像の近傍に設けることにより、搬送ベルト３４の装着状態に関する調整作業の利便性を向上させることができる。
【００８４】
なお、前述の第２調整手段８５における「第１テンションローラ５１と搬送ベルト３４との接触状態を変化させることを可能とした機構」とは、本実施形態においては、少なくとも、第１テンションローラ５１の角度を電気的駆動部としての第１ローラ軸支持高さ調整用モータ８８により変化させる角度変化手段と、第１テンションローラ５１の角度を任意の角度に変化させる為の指示、即ち、電気信号を角度変化手段に与える操作部としてのモータ操作スイッチ７６を含む指示手段と、を備える機構のことを指している。しかして、前述の角度変化手段の具体的な作用としては、少なくとも第１固定アーム５４ａに設けられた第１ローラ軸支持高さ調整用モータ８８及び調整穴５９及び摺動板５４ｃの各構成要素によって、第１テンションローラ５１の第１ローラ軸５５の一端を上下方向に変化させることにより、第１テンションローラ５１の角度を変化させる作用を指しており、前述の第１調整手段５４と類似している。
【００８５】
ここで、第２調整手段８５に関して、実施形態における第１調整手段５４との相違点を説明する。
まず、１つ目の相違点として、第１調整手段５４では、手動で摺動板５４ｃを上下方向に摺動させているのに対して、第２調整手段８５では、電気的駆動部で摺動板５４ｃを上下方向に摺動させている点、次に、２つ目の相違点として、作業者が搬送ベルト３４の装着状態を調整したいという意志を伝える指示部である操作部が、第１調整手段５４では、研磨揚送装置３０側に備える調整ボルト５７であるのに対して、第２調整手段８５では、研磨揚送装置収納部７４外に備えられたモータ操作スイッチ７６である点である。
【００８６】
前者の相違点から、第２調整手段８５の効果としては、摺動板５４ｃを、人の手による手動ではなく、電気的駆動部を用いる電動で行っている為、作業者の利便性の向上に繋がる効果がある。
また、後者の相違点から、第２調整手段８５の効果としては、作業者が搬送ベルト３４の装着状態を調整したいという意志を伝える指示部である操作部が、作業者にとって都合の良い任意の位置に備えることが可能になり、作業者の利便性の向上に繋がる効果がある。
【００８７】
なお、本実施形態においては、前述の通り、第１調整手段５４は、手動で、操作部が研磨揚送装置３０に備えられたものを示し、第２調整手段８５では、電動で、操作部が研磨揚送装置収納部７４外に備えられたものを示したが、本発明（クレーム）における第１調整手段及び第２調整手段においては、手動とか、電動とか、という限定は加えないとする。つまり、第１調整手段は、「操作部が研磨揚送装置３０に備えられたもの」であれば十分であり、一方、第２調整手段は、「操作部が研磨揚送装置収納部７４外に備えられたもの」であれば十分と解する。従って、手動で、「操作部が研磨揚送装置収納部７４外に備えられたもの」は、第２調整手段の技術範囲に属し、また、電動で、「操作部が研磨揚送装置３０に備えられたもの」は、第１調整手段の技術範囲に属するとする。
【００８８】
また、本実施形態における写影手段としてのミラー機構８２は、少なくとも、テンションローラ機構５０に係る搬送ベルト３４の装着状態を映し出す鏡としての回転式ミラー８１と、回転式ミラー８１の取付け角度を自在に調整することが可能な角度調整機構としての回転式ミラー８１の背面に設けられた支持球ハウス８１ａ及びパチンコ島台側の所定の箇所に設けられた支持球８３と、で構成することにより、搬送ベルト３４の装着状態を回転式ミラー８１を介して間接的に視認することができる為、無理な姿勢をとる必要が無くなる。また、作業者の体格や目線に合わせて回転式ミラー８１の取付け角度を調整することができる為、無理な姿勢をとる必要が更に無くなる。このため、搬送ベルト３４の装着状態に関する調整作業及び視認作業の利便性を更に向上させることができる。
【００８９】
また、本実施形態においては、写影手段の他の実施形態として、少なくとも、テンションローラ機構５０に係る搬送ベルト３４の装着状態を撮影する撮影カメラ（図示しない）と、撮影カメラ（図示しない）によって撮影された映像を映し出すモニタ７５と、で構成したもの、即ち、撮影カメラ（図示しない）と電気的に接続されたモニタ７５を挙げているが、これにより、搬送ベルト３４の装着状態を直接的に視認する場合と同じ鮮明な状態をモニタ７５を介して間接的に視認することができる。また、ズームアップ等の機能を駆使することも可能となる。このため、搬送ベルト３４の装着状態をより正確に把握することが可能となり、搬送ベルト３４の装着状態に関する調整作業及び視認作業の利便性を向上させることができる。
【００９０】
また、本実施形態では、「搬送ベルトの装着状態の映像を、収納空間外で且つその収納空間の一部を開設した開口部側から視認できるように映し出した」という第１技術思想と「搬送ベルトの装着状態を調整する調整手段における操作部を、揚送装置に備えた」という第２技術思想の２つを合わせたものを示し、また、他の実施形態で、「搬送ベルトの装着状態の映像を、収納空間外で映し出した」という第３技術思想と「搬送ベルトの装着状態を調整する調整手段における操作部を、収納領域外に備えた」という第４技術思想の２つを合わせたものを示したが、本発明における技術思想に逸脱していなければ、その他の態様も、設計変更事項内と解する。
【００９１】
例えば、「無端状の搬送ベルトが複数の回転ローラに沿って周回することでパチンコ玉を所定の場所に揚送する揚送装置と、該揚送装置の所定の位置に設置され且つ前記搬送ベルトに張力を付与するテンションローラを少なくとも１つ含むテンションローラ機構と、前記揚送装置を収納する収納空間と、前記揚送装置に備えられた操作部を操作することにより前記搬送ベルトの装着状態を調整する第１調整手段と、を備える遊技機島台において、前記揚送装置を前記収納空間に収納した状態で、前記テンションローラ機構に係る前記搬送ベルトの装着状態の映像を映し出す写影手段を備え、前記揚送装置を前記収納空間に収納した状態において、前記写影手段によって映し出される映像を前記収納空間外で映し出すこと、を特徴とする遊技機島台。」という具合に、第２技術思想と第３技術思想を合わせた技術思想であっても良い。
【００９２】
なお、前述の技術思想（第２＋第３）の場合、効果としては、「このように構成することにより、写影手段によって映し出される映像を、揚送装置が収納される狭い収納空間ではなく、作業者にとって都合の良い任意の位置で、搬送ベルトの装着状態を視認することが可能となる。このため、揚送装置を遊技機島台内の収納空間に収納したままの状態でも、搬送ベルトの装着状態の視認作業を更に容易とすることができる。また、写影手段によって映し出される映像を視認しながら搬送ベルトの装着状態を調整することができるので、搬送ベルトの調整作業が容易となると共に、精度の高い調整作業を行うことができるようになる。」が挙げられる。
【００９３】
更に、例えば、「無端状の搬送ベルトが複数の回転ローラに沿って周回することでパチンコ玉を所定の場所に揚送する揚送装置と、該揚送装置の所定の位置に設置され且つ前記搬送ベルトに張力を付与するテンションローラを少なくとも１つ含むテンションローラ機構と、前記揚送装置を収納する収納空間と、前記収納空間の一部を開設した開口部と、前記収納空間外に備えられた操作部を操作することにより前記搬送ベルトの装着作業を調整する第２調整手段と、を備える遊技機島台において、前記揚送装置を前記収納空間に収納した状態で、前記テンションローラ機構に係る前記搬送ベルトの装着状態の映像を映し出す写影手段を備え、前記揚送装置を前記収納空間に収納した状態において、前記写影手段によって映し出される映像を前記収納空間外で且つ前記開口部側から視認できるように映し出し、尚かつ、前記第２調整手段の操作部を前記収納空間外で操作可能に備えたこと、を特徴とする遊技機島台。」という具合に、第１技術思想と第３技術思想を合わせた技術思想であっても良い。
【００９４】
なお、前述の技術思想（第１＋第４）の場合、効果としては、「このように構成することにより、揚送装置を遊技機島台内の収納空間に収納したままの状態でも、収納空間外で且つ開口部側から、写影手段によって映し出される映像を視認しながら搬送ベルトの装着状態を調整することができるので、搬送ベルトの調整作業が容易となると共に、精度の高い調整作業を行うことができるようになる。」が挙げられる。
【００９５】
なお、本実施形態の第２実施例において、モニタ７５は中扉９４に設置した場合を説明したが、本技術思想から逸脱していなければ、適宜設計変更が可能であって、例えば、欄間９２内、パチンコ島台１の端部の妻板、ホールコンピュータ室、接客用カウンタ、または店長室に設置しても良い。
【００９６】
また、本実施形態は横置き型の研磨揚送装置を採用した遊技機島台として、パチンコ島台１を説明したが、本技術思想から逸脱していなければ、縦置き型の研磨揚送装置を採用した遊技機島台でも良い。
【００９７】
また、本実施形態における研磨揚送装置３０は、玉研磨機能及び玉揚送機能の両方を備えるものであったが、もちろん、本技術思想に逸脱していなければ、その他の態様であっても良い。例えば、揚送機能のみを備えた揚送装置であっても良い。
【００９８】
また、本実施形態におけるテンションローラ機構５０は、研磨揚送装置３０の下方に設置されていたが、もちろん、本技術思想に逸脱していなければ、その他の態様であっても良い。例えば、研磨揚送装置３０の上方等が挙げられる。
【００９９】
【発明の効果】
以上、説明したところから明らかなように、請求項１に記載の発明においては、揚送装置を遊技機島台内の収納空間に収納したままの状態でも、揚送装置の所定の位置（例えば、下方）に設置されたテンションローラ機構に係る搬送ベルトの装着状態を、写影手段によって映し出される映像を通して、作業者が容易に視認することができるようになる。即ち、搬送ベルトの装着状態の視認作業（搬送ベルトが横ずれを起こしているか否かの視認作業）を容易化すると共に、「搬送ベルトの横ずれ」の早期発見及び該早期発見に伴う早期対策を図ることができるという優れた効果を奏する。
【０１００】
また、請求項２に記載の発明においては、揚送装置を遊技機島台内の収納空間に収納したままの状態でも、収納空間外で且つ開口部側から、写影手段によって映し出される映像を視認しながら搬送ベルトの装着状態を調整することができるので、搬送ベルトの調整作業が容易となると共に、精度の高い調整作業を行うことができるようになる。
【０１０１】
また、請求項３に記載の発明においては、写影手段によって映し出される映像を、揚送装置が収納される狭い収納空間ではなく、その収納空間外、例えば、遊技機島台の外側面や妻板、ホールコンピュータ室等に映し出すことで、作業者にとって都合の良い任意の位置で、搬送ベルトの装着状態を視認することが可能となる。このため、揚送装置を遊技機島台内の収納空間に収納したままの状態でも、搬送ベルトの装着状態の視認作業を更に容易とすることができる。また、写影手段によって映し出される映像を視認しながら搬送ベルトの装着状態を調整することができるので、搬送ベルトの調整作業が容易となると共に、精度の高い調整作業を行うことができるようになる。更に、第２調整手段の操作部を、写影手段によって映し出される映像の近傍に設けることにより、搬送ベルトの装着状態に関する調整作業の利便性を向上させることができる。
【０１０２】
また、請求項４に記載の発明においては、搬送ベルトの装着状態を鏡を介して間接的に視認することができる為、無理な姿勢をとる必要が無くなる。また、作業者の体格や目線に合わせて鏡の取付け角度を調整することができる為、無理な姿勢をとる必要が更に無くなる。このため、搬送ベルトの装着状態に関する調整作業及び視認作業の利便性を更に向上させることができる。
【０１０３】
また、請求項５に記載の発明においては、搬送ベルトの装着状態を直接的に視認する場合と同じ鮮明な状態をモニタを介して間接的に視認することができる。また、ズームアップ等の機能を駆使することも可能となる。このため、搬送ベルトの装着状態をより正確に把握することが可能となり、搬送ベルトの装着状態に関する調整作業及び視認作業の利便性を更に向上させることができる。
【図面の簡単な説明】
【図１】本実施形態に係るパチンコ島台の内部を示す正面図である。
【図２】本実施形態におけるテンションローラ機構を備えた研磨揚送装置の前面拡大斜視図である。
【図３】本実施形態に係るミラー機構を備えたパチンコ島台の内部を示す斜視図である。
【図４】本実施形態に係るミラー機構を備えたパチンコ島台の内部を示す斜視図である。
【図５】搬送ベルトの装着状態を映す回転式ミラーの正面図である。
【図６】本実施形態の第２実施例としてモータによる調整手段を含むテンションローラ機構を備えた研磨揚送装置の前面拡大斜視図である。
【図７】本実施形態の第２実施例に係るモニタとモータ操作スイッチを備えたパチンコ島台の外部を示す正面図である。
【符号の説明】
１    パチンコ島台（遊技機島台）
３０    研磨揚送装置（研磨揚送装置）
３４    搬送ベルト（搬送ベルト）
５１    第１テンションローラ（テンションローラ）
５２    第２テンションローラ（テンションローラ）
５３    第３テンションローラ（テンションローラ）
５４    第１調整手段
７４    研磨揚送装置収納部（収納空間）
７５    モニタ（写影手段）
７６    モータ操作スイッチ（指示手段）
８１    回転式ミラー（鏡）
８１ａ  支持球ハウス（角度調整機構）
８２    ミラー機構（写影手段）
８３    支持球（角度調整機構）
８５    第２調整手段
８８    第１ローラ軸支持高さ調整用モータ（電気的駆動部）
【図１】
2004275311.tif 000003
【図２】
2004275311.tif 000004
【図３】
2004275311.tif 000005
【図４】
2004275311.tif 000006
【図５】
2004275311.tif 000007
【図６】
2004275311.tif 000008
【図７】
2004275311.tif 000009